【手続補正書】
【提出日】平成16年9月13日(2004.9.13)
【手続補正１】
【補正対象書類名】明細書
【補正対象項目名】全文
【補正方法】変更
【補正の内容】
【書類名】    明細書
【発明の名称】計測器及び原型作図法
【特許請求の範囲】
【請求項１】薄手で透明の柔軟性のあるプラスティック製の板を所定の寸法で２枚用意し、バストライン（ＢＬ）を引き、第１面にＢＬに垂直に前中心線を数本引き、バストポイント（ＢＰ）からＢＬに垂直に線を引き、第２面にＢＰ上ＢＬに垂直に基準線を引き度数目盛りを入れて、２枚をＢＰで重ねて回転するように留めたことを特徴とする胸ダーツ度数の計測器。
【請求項２】薄手で透明の柔軟性のあるプラスティック製の板を所定の寸法で３枚用意し、第１面に前中心線を数本とネックライン、肩線、袖ぐり線を、第２面に後ろ中心線数本とネックライン、肩線、肩ダーツ線を、第３面に肩ダーツ線、肩線、袖ぐり線を引き、サイドネックポイント（ＳＮＰ）と肩ダーツ止まり点を重ねて回転するように留めたことを特徴とするネックライン、肩線、肩ダーツ量の計測器。
【請求項３】薄手で透明の柔軟性のあるプラスティック製の板を所定の寸法で３枚用意し、ＢＬを引き、第１面に後ろ中心線数本とダーツ線を、第２面にダーツ線を、第３面にダーツ線と脇線数本と袖ぐり線を引き、ダーツ止まりの点を２点重ねて、回転するように留めたことを特徴とする後ろ身頃のウエストへの細まりのダーツ量の計測器。
【請求項４】薄手で透明の柔軟性のあるプラスティック製の板を所定の寸法で４枚用意し、第１面に前身頃の肩線と袖ぐり線、第２面に前身頃の脇線と袖ぐり線、第３面に後ろ身頃の肩線と袖ぐり線、第４面に後ろ身頃の脇線と袖ぐり線を引き、前腋点と後ろ腋点と脇点を重ねて回転するように留め、後ろ腋点にメジャーを取り付けることを特徴とする身頃と袖の関係と腕の計測器。
【請求項５】  ヒップライン（ＨＬ）を後ろ身頃前身頃共、床上がり平行の直線に設定し、そのＨＬを基準にし、後ろ身頃，前身頃，脇それぞれに体型によってバストライン（ＢＬ）を設定した上に、体の各所の計測値で作図した衣服の製図展開の元になる上半身からヒップラインまでの身頃フィット原型と、身頃と関連した袖のタイト原型と作図法。
【発明の詳細な説明】
【０００１】
【発明の属する技術分野】
本発明は、衣服を作るときに使用する型紙を作図するための体の各所の寸法を計る計測器と、型紙の製造方法に関するものである。
【０００２】
【従来の技術】
従来の衣服の製図においては、メジャーの計測値のみで作図したウエストラインより上の上半身の身頃原型を元に製図を展開するのが主流であり、元型がヒップラインまでのものでも、前身頃のすそ線またはヒップラインが床上がり平行の直線でないものが多い。
【０００３】
また、袖の製図は、原型がなく、デサインごとに白紙に作図されることが多い
【０００４】
【発明が解決しようとする課題】
従来のメジャーの計測では、製図に必要なネッライン、肩線、肩ダーツ、胸ダーツ後ろ身頃のウエストの細まりのダーツ、袖と身頃の関係、腕の下がり方など計測できない部分があり、体型などを製図に表現するためのデーターが不足気味であった。
【０００５】
また、原型からの製図展開も上半身のみでは、腰まわりの状態が分からず、その都度ガイドラインやダーツ量を設定するのは手間がかかる。
【０００６】
また、腰まである原型であっても前身頃すそ線が床上がり平行の直線になってないものがあり、タイトシルエットの基本的なデサインで胸ダーツを上半身で処理できるにもかかわらず、水平なすそ線に布の横地の目が通らない事態が生じていた。
【０００７】
また、原型から衣服に製図展開する際、胸ダーツや肩ダーツは体から離れるほど分散させ逃がし、布の厚み分や重なり分を縫い目や前端に加える必要がある。
【０００８】
また、腕の下がり方も人それぞれ異なるので各人の原型が目安として必要であるし、袖と身頃の関係も不明確な点が多い。
【０００９】
【課題を解決するための手段】
上記の問題点を解決するために、本発明では衣服の製図に必要で、メジャーでは計測できなかった体の丸い部分を体に添う柔軟なプラスチック製（ポリプロピレン）の計測器で計測し、データ不足を補う。
【００１０】
また、本発明の原型は上半身からヒップライン（ＨＬ））までの体に適度にフィットさせたものとし、ＨＬを床上がり平行の直線に設定し、床上がり水平のバストライン（ＢＬ）を製図上で胸の大きさや姿勢や体型によって後ろ、脇、前で計測設定し、その線を基準に計測器とメジャーでの計測値で作図する。よってこの原型を元に各デザインの衣服の製図展開をする場合、腰回りの製図展開もし易いし、衣服の丈だしはＨＬを基準に平行に出せるので、すそ線が床上がり平行のデザインの場合、すそ線に横地の目を通せる。また胸ダーツ肩ダーツもデサインや衣服により分散の量を加減し、必要に応じて移動ができる。布の厚み分や重なり分も、前中心、後ろ中心、脇線、肩線などで適度に加えれば良いので展開し易い。
【００１１】
本発明では、計測器で身頃と腕の関係と腕の下がり方を把握した上で、各人の袖のタイト原型を作図しておき、各デザインの展開の目安にすることができるので作図し易い。
【００１２】
【発明の実施の形態】
衣服用原型とこの原型を元にした衣服用型紙を作成する本発明の方法と実施例を婦人服で以下詳述する。細かく採寸するが、慣れるとサイズの近い事前にシーチングで作ったものを着て補正して完成することができるが、ここでは基本を説明するために計測器とメジャーなどで採寸して作図する方法をとる。
【００１３】…計測の準備…
本発明の各計測器とメジャー、錘付メジャー（マーカー）柔軟な曲線用定規（５０ｃｍ）ポイントシール（又は消えるチャコペンシル）を用意する。採寸前にブラジャーとガードルを着けた人体（又は人台）に２．５ｃｍ幅のシーチィングで作ったベルトをウエスト（Ｗ）のおさまりの良い位置に巻いておく。次の各ポイントの図１の（ａ）（ｂ）の○印に示す位置にポイントシールを付ける（チャコペンシルで印付けしてもよい）。両足を付け自然に立った姿勢でマーカーで床上がりを見ながら、乳頭点（ＢＰ）、ＢＰと同じ高さ（ＢＬ）の前中心（ＦＣ）、脇、脇線上、背中、後中心（ＢＣ）と、殿部後突点、同じ高さ（ＨＬ）のＢＣ、脇線上、ＢＰの直下点とＦＣに、後中心ネックポイント（ＢＮＰ）、前中心ネックポイント（ＦＮＰ）、サイドネックポィント（ＳＮＰ）、肩先点（ＳＰ）、ウエストライン（ウエストベルト上べり）のＢＣ、脇線上、ＦＣに、前腋点、後腋点、脇点（脇の腕の付け根より１ｃｍ下の点）に、腕は自然に下ろして脇正面から見て腋点部（前後の腕と胴体の分岐点）の腕幅の中心点、肘部幅の中心点、手首部幅の中心点。
【００１４】…体型確認のための計測…
本実施例の型紙作成法では、まず、体型を確認するために、図１に示した測定箇所ア〜エを錘付きメジャーでで計測し、▲１▼▲２▼▲３▼のＨＬからＢＬまでの寸法値を柔軟な曲線用プラスティック定規（メジャーでもよい）で適度に体に添わせて計測する。その際、両足を付けて自然に立った姿勢で計測する。ウエストライン（ＷＬ）はベルトの上べりとする。
ア  乳頭点高…ＢＰまでの高さは、バストライン（ＢＬ）の高さとなる。
イ  殿部後突位高…殿部後突点までの高さは、ヒップライン（ＨＬ）の高さとなる。
ウ  前肩丈…床から垂直にＢＰを通ってＳＮＰまでの長さ
エ  後肩丈…床から垂直に臀部後突部を通って肩甲上部後突部を通ってＳＮＰまでの長さ
▲１▼  肩甲上部後突点直下ＢＬからＨＬの垂直点に曲線用定規（メジャーでもよい）を体に添わせ、ウエスト部分は、少し離して（浮かして）計る。ＢＬからＷＬの数値もチェックしておく。
▲２▼  真脇でＢＬからＨＬの垂直点に曲線用定規（メジャーでもよい）を体に添わせ、ウエスト部分は、少し離して（浮かして）計る。ＢＬからＷＬの数値もチェックしておく。（上半身は体に添って脇点に向けて後ろに少し傾斜する）
▲３▼  前ＢＰからＨＬの垂直点に曲線用定規（メジャーでもよい）を体に添わせ、バストの下とウエスト部で少し離して（浮かして）計る。ＢＬからＷＬの数値もチェックしておく。
▲１▼▲２▼▲３▼の数値は、体型によって、ｍｍ単位〜１ｃｍの差が出る。図２にその実例を表記する。胸の大きい体型ではＢＰ直下のＨＬ〜ＢＬの寸法が長くなり、反り身の体型では背中のＨＬ〜ＢＬの寸法が長くなり、屈伸体の体型では逆に背中のＨＬ〜ＢＬの寸法が短くなる。体にフィットしないストレートシルエット（又はフレアなど）の衣服だと▲１▼▲２▼▲３▼は、どんな体型でも同数値にする。この数値はアの数値−（マイナス）イの数値でもある。また、ウとエの差でも体型を知ることが出来るし、ウとエの差は、ＢＬからサイドネックポイントの前後差でもあり、胸の大きさや姿勢など体型を知ることができる。
【００１５】…胸ダーツ度数の計測…
人体の胸の大きさは、ブラジャーにＡカップ〜Ｆカップがあるように様々である。その胸の大きさを製図の胸ダーツに表現することが必要であるが、その胸ダーツの度数計測器の作り方を図３に、使用方法を図４に示す。
胸ダーツ度数計測器の作り方（図３）…薄手で透明の柔軟性のあるプラスティック製（ポリプロピレン）の板を図３の寸法にＡ面Ｂ面２枚用意し、ＢＬ線をひく。Ａ面のＦＣ部分に５ｍｍ間隔にＢＬに垂直に数本の線を入れ、ＢＰからの寸法を記入しておくと乳頭間の寸法も分かる。ＢＰ上垂直にａ線を入れる。Ｂ面にＢＰを基点にＢＬに垂直に基準線を引き度数目盛を入れて、ＢＰ点を軸にＡ面Ｂ面重ねて回転するように留金で留める。
胸ダーツ度数の計り方（図４）…胸度数計ＢＰ点を人体（人台）のＢＰにあて、Ａ面のＢＬ線を人体（人台）のＢＬに当てる。ＦＣ線を人体（人台）のＦＣに平行に当てる。Ａ面を手で押さえ、固定させておいて、Ｂ面のＢＬ線を人体（人台）のＢＬに合わせると線ａの重なり部分が胸度数である。（原型作図の際はゆとりとして１〜２度マイナスする）
【００１６】…ネック、肩線、肩ダーツの計測…
人体のネックの幅は前後差がある。また、肩線の傾斜や肩ダーツの量も人それぞれである。計測器の作り方を図５に、計測の仕方を図６に示す。
ネック、肩線、肩ダーツ計測器の作り方（図５）…薄手で透明の柔軟性のあるプラスチック板に図のように標準サイズの線を前身頃側側１枚後ろ側身頃側２枚に入れ、外側を図の寸法に切り取りＳＮＰ点と肩ダーツ止まりの点を重ねて動く（回転する）ように留金で留める。
計測の仕方（図６）…図のように計測器のＳＮＰを体のＳＮＰに固定し、ＦＣを体のＦＣに平行に合わせる。前のパネルを固定してＢＣを体のＢＣに平行に合わせ、肩に自然に添うように肩ダーツを重ね、肩線を重ね特大のゼムクリップで肩先部を留める。チャコペンシルでネックライン、ＦＣ、ＢＣ、肩線、ＳＰを計測器に印す。外してトレーシングペーパーに写しておく。（直後に製図するならそのまま使用）
【００１７】…後ろウエストへの細まりダーツ量の計測…
後ろは肥満大でも骨格上ウエスト部は肩甲骨や臀部よりは通常くびれている。ウエストにかけての細まりのダーツは、通常背中心寄りのダーツより脇寄りのダーツの量が多くなる。
後ろウエスト細まりダーツ計測器の作り方（図７）…薄手で透明の柔軟性のあるプラスチック板３枚に図のように標準サイズの線（ＷＬより３ｃｍ位上から）と目盛を入れ、外側を図の寸法に切り取り、ダーツの止まり点を重ねて動く（回転する）ように留金で留める。
計測の仕方（図８）…計測器の後ろ腋点を体に合わせＢＣとＢＬを体のＢＬ、ＢＣに平行に合わせ、背中心寄りのダーツを体に添わせて重ねてゼムクリップで留め、脇線が脇点からの垂直線より外に出ないようにして脇のＢＬを平行（少し傾斜することもある）に合わせ、後ろ腋点部を少し浮かせて（ゆとり）脇寄りのダーツを重ねてとってゼムクリップで留めておいて、チャコペンシルで脇線、ＢＬ、ＢＣを印し、各ダーツの重なり分量を控えておく。（骨格上脇寄りのダーツが多い）
【００１８】…身頃と袖の関係と腕の計測…
腕の肩への付き方、腕の下がり方（袖の振り）、腕の状態は、人それぞれである。この計測器で測ると、身頃の袖下の袖ぐりと袖の袖下ぐり（身頃の脇線との関係）、袖山線、身頃の肩先（ＳＰ）との関係が分かる。また、袖の袖山線と肘ぐせ、身頃の腋点幅、袖の腋点幅も分かる。
身頃と袖の関係と腕の計測器の作り方（図９）…薄手で透明の柔軟性のあるプラスチック板４枚に図のように標準サイズの線を入れ、外側を図のように切り取り、前と後の腋点と脇点は重ねて動く（回転する）ように留金で留める。後ろ腋点には、長さ６８ｃｍで５ｍｍ幅のメジャーの右端を袖山線とし、上を１５ｃｍ、下を５３ｃｍで横に移動出来るように取り付けた長さ２５ｃｍのメジャーを取り付けておく。
計測の仕方（図１０）…腕は自然に下げて、計測器の脇点を体に合わせて脇線を前後ろ合わせてウエスト部をゼムクリップで留め、肩で合わせて肩先とＳＮＰ側をゼムクリップで留める。後ろ腋点から２５ｃｍのメジャーを前腋点に腕を包むように伸ばしセロハンテープで留めておく。６５ｃｍのメジャーの右端が腕幅の中心になるように移動させて、５３ｃｍの方を肘の中心部に伸ばし袖山線とし、手首まで直線で延長させて、手首幅中心との差（肘ぐせ）と袖丈と肘丈を見る。上部１５ｃｍのメジャーも袖山線に延長させて長さと身頃ＳＰとの差を見る。再度脇点が体の脇点と合っているか確かめて脇線を印して、ＢＬ部と肘少し上の腕幅をチャコペンシルで脇身頃パネルに印しておく。体から外してトレーシングペーパーに前後の腋点、腋点下袖ぐり、脇線、肘部の腕幅を写し、腋点の腕幅中心と肘部の腕幅中心とを直線で繋ぎ袖山線とし、その線に直角に脇点を通る袖幅線を引き、腋点の袖幅は中心点（袖山線上Ｃ点）から両側に採寸値を印しておく（通常後ろが１ｃｍ位前より多い）。ＳＰ（肩先）の位置も目安として印しておく。袖丈、肘丈、肘ぐせの数値は控えておく。
【００１９】…身頃フィット原型と袖タイト原型作図のための計測箇所の説明…
本実施の型紙作成法では、身頃原型と袖タイト原型作図のために図１１（ａ）（ｂ）（ｃ）に示した測定箇所オ〜ホの寸法値をメジャーで計測して用いる。ウエストライン（ＷＬ）はベルトの上べりとする。
（ＢＬ囲）…ＢＰを通る水平な周径。
オ  ＢＬ囲の脇線より後側半身プラス１ｃｍ（ゆとり）。…肩甲骨突出分は後で作図の際ダーツ分として加える。
カ  ＢＬ囲の脇線より前側半身プラス１ｃｍ（ゆとり）。
（背幅）…右後ろ腋点から左後ろ腋点までの長さ。
キ  背幅の半分プラス１ｃｍ（腕を前に出す分とゆとり）。
（胸幅）…右前腋点から左前腋点までの長さ。
ク  胸幅の半分プラス０．５ｃｍ（ゆとり）。
ケ  肩幅…ＳＮＰからＳＰまで。
コ  後ろ肩先点（ＳＰ）間隔の長さの半分。
サ  ＢＣのＢＬからＢＮＰまで（肩甲骨の突出分を含める）
シ  後ろＳＮＰから直下ＢＬまでの長さ。
ス  後腋点からＳＰまでの長さ。
（乳頭間隔）…左右乳頭点間の距離（ゆとり０．３ｃｍ）。
セ  乳頭間隔の半分。
ソ  ＦＣのＢＬからＦＮＰ（乳房突出分を含める）。
タ  ＢＰからＳＮＰの長さ。
チ  ＢＰからＳＰの長さ。
ツ  前腋点からＳＰの長さ。
テ  脇線ＢＬから脇点（腕の付け根より１ｃｍ下）。
（ウエスト囲）…ベルトのおさまっている周径。
ト  ウエスト周の前右脇から左脇までの長さの半分プラス１ｃｍ（ゆとり）。
ナ  ウエスト周の後右脇から左脇までの長さの半分プラス１ｃｍ以上（ゆとり）。
（ＨＬ周）…殿部後突点を通る水平な周径（腹部の膨らみ分含む。）
ニ  ＨＬの右脇点から左脇点までの腹部の膨らみ分も入れた前寸法の半分プラス１ｃｍ（ゆとり）。
ヌ  ＨＬの右脇点から左脇点までの後寸法の半分プラス１ｃｍ（ゆとり）。
（ＭＨＬ周）…腹部前突点を通る水平な周径。
ネ  ミドルヒップ（ＭＨ）の前寸法の半分プラス０．５ｃｍ以上（ゆとり）。
ノ  ＭＨの後寸法プラス０．５ｃｍ以上（ゆとり）。
ハ  腋点幅…後ろ腋点から前腋点までの幅（物指しを脇に挟んで計る）プラス１ｃｍ（ゆとり）。
ヒ  上腕周り…腕の付け根周りの長さプラス２．５ｃｍ以上（ゆとり）。
フ  肘周り…肘の周りの長さプラス２ｃｍ以上（肘を曲げるのに必要なゆとりは後で作図の際に２ｃｍ位とる）。
ヘ  手首周り…手首の周りの長さプラス１ｃｍ以上（ゆとり）。
ホ  手回り…親指付け根部分の手の周りの長さプラス１ｃｍ以上（袖口に手を通せる長さ）。
【００２０】…身頃フィット原型の作り方…
以下、１〜１３において、身頃フィット原型を作成する手順について説明する。前記の▲１▼〜▲３▼とア〜ハの数値と計測器のデータを用いて、胸度数１６度の標準体で図１２に示すように作図する。（ＨＬ〜ＢＬの寸法は図２標準体胸度数１６°使用）
１  左端縦に背中心（ＢＣ）の線を引き、その線に直角にＨＬ囲（ＢＬ囲が大きければＢＬ囲）の半分プラス５ｃｍの長さを横一直線にとり、縦に直角にＦＣの線を引き、ＨＬ囲の後ろヌと、前ニを印しておく。
２  ＢＬをまず背中心から肩甲骨直下部までＨＬから▲１▼の寸法で線を引き、脇部は▲２▼の寸法をＨＬから印し、ＢＰからＦＣに▲３▼の寸法をＨＬからとりＢＬを引いておく。（くせのない標準体型ではＢＬがＨＬに平行にＢＣからＦＣまで一直線になる）ＷＬの位置を計測値から印しておく（通常前より後ろが０．５〜１ｃｍ低い）。
３  ＢＬ上にＢＣから後ろＢＬ囲オの寸法にダーツ分（肩甲骨突出分約２．５ｃｍ）を加えて印し、ＦＣから前ＢＬ囲カの寸法を印し、脇ＢＬより上テの寸法（腕付け根より１ｃｍ下）を前後共脇点として印しておく。
４  背幅キと計測器から後腋点を印し（ＢＬから約６ｃｍの高さを目安に）後ろ袖下ぐりの線を描いておく。
５  後ろ身頃ウエストダーツ線を計測器の量より少な目にＨＬより２〜３ｃｍ上まで引く。脇よりのダーツは腋点より１ｃｍ内側直下（ダーツ中心線）に図のようにとる。Ｗ部はどのダーツもウエストに添うように２ｃｍ直下の線を引く。
６  後ろ脇線をウエストで脇点直下より１．５ｃｍ以上入らないようにウエスト囲ナの寸法になるように引き、ＨＬの印に向けてＭＬ囲ノの寸法に腰の丸みを付けて線を描く。
７  ＢＰセを印し、直下１．５ｃｍからウエストダーツを図のように線を引く。（胸の大きさやウエストの細まり具合によって量は異なる）脇寄りのダーツは人によって無くてもよい。
８  前身頃脇線をウエストで脇点直下より２．５ｃｍ以上入らないように、前ウエスト囲トの寸法になるようにダーツ量を調整して引き、ＨＬの印に向けてＭＬ囲ネの寸法に腰の丸みを付けて線を描く。
９  背中心サの寸法をＢＬより上にとりＢＮＰを印し、シの寸法をＳＮＰの高さに印し、コの肩先点間も肩ダーツ分を計測器を見て１ｃｍ前後加えて印し、スの寸法を後ろ腋点からとってＳＰの高さを印して、ネック肩計測器から写しとったトレーシングペーパーの線と合わせて、ネック幅をとり、ネックライン、肩線、肩ダーツ線を肩幅ケを確認して線を引き、ＳＰから腋点に向けて袖ぐり線を引く。ＳＰから７ｃｍの位置に袖との合印を付けておく。
１０  後ろ脇線を延長し腋点幅を確認し、前の脇線を延長して腋点幅が前後合わせてハになるように前腋点を後ろ腋点より１ｃｍ位高く設定し、前袖下ぐり線を描く。
１１  前腋点からＢＰに線を引き、計測した胸ダーツ度数マイナス１〜２度（ゆとり）を胸ダーツとして同じ長さの線を引き、前胸幅クをＦＣからとり、ダーツ位置を調整する。
１２  前中心ソの寸法をＢＬより上にとりＦＮＰを印し、タの寸法をＢＰよりＳＮＰの高さを印し、ツの寸法を前腋点からとってＳＰの高さを印してＢＰ〜ＳＰ寸法チを印し、ネック肩計測器から写しとった線と合わせて、ネック幅をとり、ネックライン、肩線を引き、肩幅ケのＳＰから袖ぐり線を描き、袖との合印をＳＰから６ｃｍの位置に印しておく。
１３  胸ダーツ、肩ダーツの補助線をダーツ移動やゆとりとして逃がすために図のように衿ぐり、肩先袖ぐりに引き、仕上げる。
【００２１】…反身体の後ろ身頃原型の作図…
反身体の原型は後ろのＢＬからＨＬの寸法が２ｍｍ〜５ｍｍ程長くなるのでその長くなった分、通常脇線に向けてＢＬが下がることになる。その原型の例を図１３に示す。図２の反身体の例では後ろＢＬからＨＬは標準より０．５ｃｍ長い。また脇寄りのダーツが多くなる。
【００２２】…胸の大きい人の前身ごろの原型の作図…
胸が大きい場合は前のＢＰからＨＬがｍｍ〜１ｃｍ位長くなるので、その分脇のＢＬがＢＰから脇線ＢＬに向けて下がる。下がった度数分の胸ダーツ分が減る。その原型の例を図１４に示す。図２の胸度数２１度のＢＬからＨＬの数値は標準より０．５ｃｍ長いのでＢＬがＢＰから脇線のＢＬに向けて下がる。下がる分の１．５度とゆとりの２度を胸ダーツの度数からマイナスした残りを胸度数とする。ここでは２１度から３．５度差し引いて１７．５度とする。胸が大きい分前ＢＬ囲半身でプラス２ｃｍ、胸幅半身でプラス１ｃｍ、ＢＰ〜ＳＮＰプラス０．５ｃｍ、ＢＰ〜ＳＰプラス０．５ｃｍ標準より長くなる。ＢＰ下のダーツ量も多くなる。
【００２３】…袖タイト原型の作り方…
以下、１〜１３において、袖タイト原型を作成する手順について説明する。前記のハ〜ホの数値と計測器のデータを用いて、図１５に示すように作図する。
１  トレーシングペーパーにうつした計測器のデータの袖山線、袖幅線、腋点下袖ぐり線、袖幅線平行（又は前高）に腋点の袖幅（Ｃ点からの寸法は後ろの方が１ｃｍ位長い）、腕幅（肘部少し上）、脇線、脇点を製図用紙に写し、袖丈肘丈を袖幅線に平行、袖山線に直角に引いておく。ＳＰも目安として印す。
２  袖山線の肘位置から袖口に肘ぐせ線を引き、その線に直角に袖口線を引く。
３  腋点の袖幅に前１ｃｍ以上、後ろは前に腕を出せるよう１．５ｃｍ以上のゆとりを入れて印し、図のように、前後共身頃と袖の腋点間の半分の点と肘回りフの４分の１の長さを袖山線から両側にとった点、袖口は手回りホの４分の１を肘ぐせ線から両側にとった点に前のみガイドラインを引き、後ろ側は肘線上１ｃｍ外と繋いで、袖口４分の１の点へ繋ぎ、袖の側面ガイドラインを示す。
４  前後共３で設定した袖の腋点から袖幅線に向けて身頃の袖ぐり腋点から脇点までの直線寸法と同寸の直線を引いてから袖ぐり下線を描く。設定した袖幅が上腕回りにどれ位ゆとりがあるか見ておく（前１．５ｃｍ、後ろ２ｃｍ以上必要）。
５  袖の前後腋点から袖山点に向けて直線を引き、２ｃｍ前後ふくらませて袖山曲線を描く。図のようにいせ分を入れて、身頃との合印を付けておく（ＳＰはいせ分によってずれることもある）。
６  前袖下線を４のゆとりを見て、図のように上腕回りに前で１．５ｃｍ以上ゆとりが入るよう設定した前袖幅点から前肘幅点（前肘線上同寸）に腕に添うようにカーブ線を描き、前袖口幅点（肘ぐせ線から同寸）に向けて直線を引き、前袖口線も図のように引く。
７  後ろ袖下線を図のように上腕回りに後ろで２ｃｍ以上のゆとり（腕を前に出すため）が入るように設定した後ろ袖幅点から後ろ肘幅点（後ろ肘線上同寸…２ｃｍ肘を曲げるためのゆとりが後ろに入れる）に直線を引き、袖口まで直線で延長させておく。
８  後ろ袖口線を袖下線からホの寸法の４分の１を印し引き、余りを肘ダーツとして線を引く。
【００２４】…フィット原型の補正…
体にフィットしたより正確な原型を作るために，原型の試着補正は不可欠である。１〜９の手順で実施する。
１  縦横地の目線の入ったシーチィングは蒸気アイロンで地の目を整える。
２  原型のＨＬを平行に出してひざ丈にし、前はワにし、後ろ開きにして、押さえ躾で縫い合わせる。袖山はぐし縫いをしておく。（通常右袖のみ）
３  ウエストに２．５ｃｍ幅の黒いウエストベルトをおさまりの良い位置に巻く
４  人体（又は人台）に着せ、後ろ中心をピンで止める。
５  ＢＬ、ＨＬの位置をマーカーで確認し、合ってない場合は肩線で調整し、もう一度床上がりをマーカーで見てチャコペンシルで印す。
６  原型は体にフィットしたものであるが、小さすぎてはいけないので、つれジワのないように補正する。
７  ＷＬは下に付けた黒のウエストベルトの上べりを印す。
８  袖は前後腋点をピンで止め、袖山線を合い印とＳＰを調整しながら合わせて止める。
９  腋点下袖ぐりと脇点脇線が身頃と袖が合っているか確認する
【００２５】…フィット原型の仕上げ…
補正した原型を製図用紙に写し、補助線とＢＬ、ＷＬ、ＨＬのサイズ、胸ダーツ度数等を入れておくと衣服の製図展開に使い易い。（透明プラスティック板でもよい。）
【００２６】…ブラウスへの製図展開例…
図１６のようなフィット型のブラウスのダーツの分散移動を図１７に、完成図を図１８に、袖の製図を図１９に示す。ここでは，胸度数１６°の図１２の原型を使用して作図する。布は綿ブロード。
１  図のように、胸ダーツと肩ダーツをゆとりとして適量に分散し、その上で胸ダーツを移動する。
２  １の線を目安に脇線に後ろ０．５ｃｍ、前０．５ｃｍのゆとりを加え、すそ線はＨＬに平行に上げる。
３  袖は図１９の（ａ）のように垂直に下がった腕のタイト袖を図１９の（ｂ）ように製図する。脇点と脇線が前寄りになる。計測ではＳＰが袖山線と一致する。腋点幅の袖のゆとりは前１．２ｃｍ、後ろ１．８ｃｍにする。その結果袖幅も広くなる。
【００２７】…上衣の製図展開例…
図２０のようなパネル切り替えの上衣のダーツの分散を図２１に、完成図を図２２に示す。ここでは、後ろ身頃は図１２の標準原型を、前身頃は胸度数２１度の図１４の原型を使用する。２枚袖の製図を図２３に示す。（図１５の袖タイト原型を使用して展開する）布は中肉とし、肩パッドの厚さは０．５ｃｍとする。
１  図２１のように上衣が体から離れる分を衿ぐり、肩先、袖ぐりにダーツ分から分散してにがす。
２  図２２に示すように脇点を前後共１．５ｃｍ下げ、脇点で前１．３ｃｍ後ろ１．８ｃｍのゆとり分と布厚み分を出し、胸幅０．３ｃｍ背幅０．８ｃｍ出して肩先も適度に出して袖ぐり線を引く（腋点幅が広くなり過ぎないようにチェックする。上衣はヌード寸法＋２ｃｍまで）。ウエストとヒップにも原型線を元にゆとりを入れて脇線を引く。布の厚み分として背中心に０．３ｃｍ、前中心は重ね減り分も加えて０．５ｃｍ、肩線はネックポイントで０．３ｃｍ、肩先でパットの厚み分０．５ｃｍを加えて０．８ｃｍ高くする。１の線とウエストダーツ線を目安に切り替え線を描く。
３  図２３に示すように袖タイト原型の袖山線、袖幅線、肘線、肘ぐせ線、袖口線（袖丈）身頃の脇線、ＳＰとガイドラインを写しておく。
４  袖幅線は、身頃脇点が１．５ｃｍ下がったので、腕を上げるゆとり分０．５ｃｍを差し引いて１ｃｍ下げる。その線と脇線の交点を脇点とし、脇点と脇線を上衣身頃の脇点脇線に合わせて前後の身頃腋点から下の袖ぐりを写す（脇線の位置が原型と変化していないのを確認の上）。
５  腋点の袖幅にゆとりを前１．３ｃｍ後２．３ｃｍ加えて印し、腋点から半分の位置に印す。肘線では原型のガイドラインより前で０．５ｃｍ（袖下まで１ｃｍ）後ろで０．７ｃｍ（袖下まで１．４ｃｍ）ゆとりとして出し、袖口は原型より前で０．５ｃｍ、後ろで０．５ｃｍゆとりとして出し（袖口は２ｃｍ広くなる）各点を繋ぎ２枚袖のガイドラインとし、この線を元に前後の切り替え線を描く。肘より上は腕に添うように前後ろ共カーブ線描く。
６  袖山は肩パッド分と布厚み分０．８ｃｍ高くして５の腋点幅の点から袖山線を描き身頃袖ぐりとの合印を付ける。ＳＰは前身ごろの袖ぐりが胸ダーツのにがしで長くなるので少し後ろにずれる。
【００２８】
【効果】
上述したように本発明の計測器は製図に必要で従来計測出来なかった部分を計測出来るので、各人に合うフィット原型を作ることが出来る。
【００２９】
また本発明の原型作図法と展開方法は適度にフィットした、着易くシルエットの美しい衣服の型紙を製造することが出来る。
【００３０】
また、タイトシルエットの衣服は胸ダーツを上半身で処理すると、すそ線に横地の目を通せるので、チェック等はもちろん無地の布でも仕上がりがよい。
【００３１】
また、本発明のフィット原型と袖タイト原型は、注文服の各人の体型に対応した原型として、また既製服の元型としても、ブラウス、ベスト、ワンピース、ジャケット、コート等の製図に活用することが出来る。
【図面の簡単な説明】
【図１】
体型確認のためのポイントの位置と計測箇所。（ａ）は身頃。（ｂ）は腕。
【図２】
フィットシルエットの体型別ＢＬからＨＬの数値。
【図３】
胸ダーツ度数計測器の図面。
【図４】
胸ダーツ度数計測器の使用方法。
【図５】
ネック、肩線、肩ダーツ計測器の図面。
【図６】
ネック、肩線、肩ダーツ計測器の使用方法。
【図７】
後ろウエストダーツ計測器の図面。
【図８】
後ろウエストダーツ計測器の使用方法。
【図９】
身頃と袖の関係と腕の計測器の図面。
【図１０】
身頃と袖の関係と腕の計測器の使用方法。
【図１１】
身頃フィット原型と袖タイト原型作図のための計測箇所。（ａ）は後ろ身頃。（ｂ）は前身頃。（ｃ）は袖。
【図１２】
身頃フィット原型の作図順と完成図。
【図１３】
反身体の後ろ身頃フィット原型の完成図。
【図１４】
胸ダーツ度数２１度の前身頃フィット原型の完成図。
【図１５】
袖タイト原型の作図順と完成図。
【図１６】
ブラウスのデザイン画。
【図１７】
ブラウスの身頃原型展開図。
【図１８】
ブラウスの身頃完成製図。
【図１９】
腕が垂直に下がったブラウスのタイト袖の製図。（ａ）は腕が垂直に下がった時の袖山線等の様子。（ｂ）はタイト袖の製図。
【図２０】
上衣のデザイン画。
【図２１】
上衣の身頃原型展開図。
【図２２】
上衣の身頃完成製図。
【図２３】
上衣の２枚袖の製図。


【手続補正２】
【補正対象書類名】図面
【補正対象項目名】図１０
【補正方法】変更
【補正の内容】
【図１０】
2004027462.tif 000001